(57)【要約】【課題】デジタルＦＰＵ受信基地局を含む放送システムにおいて、アラーム発生時のシステム全体の状態を把握しやすくする技術を提供する。【解決手段】  本社の監視制御部は、状態再現処理を実行中であるかを判断する（Ｓ１０）。状態再現処理中でない場合（Ｓ１０のＮ）、通常の通信処理として基地局からの監視情報の受信処理を行い（Ｓ１２）、監視情報をログファイル保持部に記録し（Ｓ１４）、さらに解析処理を行う（Ｓ１６）。また、状態再現処理中である場合（Ｓ１０のＹ）、監視状態再現部５４は、状態再現の指定日時があるか否かを判断し（Ｓ１８）、状態再現の指定日時がある場合（Ｓ１８のＹ）、ログファイル保持部の監視情報から指定日時の監視情報を抽出して（Ｓ２０）、解析処理を実行する（Ｓ１６）。【選択図】図８
2010087948.tif 000002
【特許請求の範囲】
【請求項１】
受信基地局の被制御機器を遠隔操作により制御するシステムにおける監視装置であって、
前記受信基地局の被制御機器の動作状態を監視情報として取得する監視情報取得手段と、
前記監視情報を保持する監視ファイル保持手段と、
前記監視ファイル保持手段に保持された前記監視情報をもとに、前記受信基地局の被制御機器の過去の制御状態を再現する状態再現手段と、
を備えることを特徴とする監視装置。
【発明の詳細な説明】
【技術分野】
【０００１】
本発明は、監視装置に係り、特に、デジタルＦＰＵ受信基地局を含む放送システム等において利用可能で異常発生を監視する監視装置に関する。
【背景技術】
【０００２】
ＦＰＵ（Field Pickup Unit）受信基地局の遠隔制御監視システムでは、各基地局は、各種の異常を示す保守用情報（「アラーム発生情報」又は「監視情報」ともいう）を収集して、収集した保守用情報を本社に備わる保守端末に送信している。保守端末では、オペレータが送信されてきた保守用情報を監視して、必要に応じて、保守用の制御データを、無線回線を経由して、基地局の保守制御を行っている。
【０００３】
そのような遠隔制御監視システムのアラーム監視技術として、様々な技術が提案されている。例えば、基地局における温度データやＲＦ（Radio Frequency）レベルデータなどの環境条件の履歴を取得しておき、アラーム発生の原因の把握を容易にする技術が提案されている（例えば、特許文献１参照）。この技術を用いることで、上述の様にアラーム発生の原因の把握を容易かつ的確に把握することが可能となった。また、アラーム発生前であっても、基地局が過酷な環境条件で運用されていることが把握でき、予め対処が可能となった。
【特許文献１】特開２００４−３２０２１９号公報
【発明の開示】
【発明が解決しようとする課題】
【０００４】
ところで、アナログＦＰＵ受信基地局の遠隔制御監視システムでは、機器単体のアラームを監視することにより異常個所が特定可能であった。しかし、デジタルＦＰＵ受信基地局の遠隔制御監視システムでは、複数の拠点に存在する多数の機器が複雑に関係するために、機器単体のアラームのみではアラーム内容を特定することが困難になっており、複数の受信基地局の監視状態を保存したログファイルを解析する必要があった。ログファイルの解析にはファイルの内容を理解する必要があるため、誰でも出来るものではなかった。遠隔監視制御装置でアラームを検出し、アラーム発生基地局以外に発生要因がある場合には、時間の経過と共に状態が変化し状況を把握することが難しくなる。したがって、上述のように、多数の機器が複雑に関係する近年のデジタルＦＰＵ受信基地局にあっては、ログファイルを解析が一層困難になっている。上記の特許文献１に開示の技術をそのまま適用することが出来ず、別の技術を実現することが求められていた。
【０００５】
本発明は、このような従来の事情に鑑みなされたもので、ＦＰＵ受信基地局を含む放送システムにおけるアラーム発生時のシステム全体の状態を把握しやすくする技術を提供することを目的とする。
【課題を解決するための手段】
【０００６】
本発明に係る装置は、受信基地局の被制御機器を遠隔操作により制御するシステムにおける監視装置であって、前記受信基地局の被制御機器の動作状態を監視情報として取得する監視情報取得手段と、前記監視情報を保持する監視ファイル保持手段と、前記監視ファイル保持手段に保持された前記監視情報をもとに、前記受信基地局の被制御機器の過去の制御状態を再現する状態再現手段と、を備える。
【発明の効果】
【０００７】
以上、本発明によると、ＦＰＵ受信基地局を含む放送システムにおいて、アラーム発生時のシステム全体の状態を把握しやすくする技術を提供することが出来る。
【発明を実施するための最良の形態】
【０００８】
次に、本発明を実施するための最良の形態（以下、単に「実施形態」という）を、図面を参照して具体的に説明する。まず実施形態の概要を説明する。一般に、遠隔監視制御装置でアラームを検出し、アラーム発生の基地局以外に発生要因がある場合には、時間の経過と共に状態が変化し状況を把握することが難しくなる。遠隔監視制御中であっても、過去の状態に戻すことが可能であれば、アラーム発生時のシステム全体の状態を誰でも容易に把握することが可能となる。そこで、本実施形態では、遠隔制御監視装置で保存している全システムの監視ログ（監視情報）を用いて指定日時の監視状態を再現することにより、アラーム発生時点の全システムの監視状態を把握することが可能となり、アラーム発生要因の推測が容易となる。そのために、遠隔制御監視装置で保管する全システム（各拠点）のログファイルに保存した監視状態を時系列に並べ替え、指定した日時を表示するために必要な監視情報を抽出し、通常の監視表示と同様に各機器の状態を表示する。以下、具体的に説明する。
【０００９】
図１は、本実施形態に係る、放送システム１０の概略を示す図である。図示のように、放送システム１０は、本社４０と、移動中継車１５が送信した放送波を本社４０まで中継する複数のデジタルＦＰＵの基地局２０とを備えている。ここでは、基地局２０として、第１〜第３の基地局２０ａ〜２０ｃによって、移動中継車１５から本社４０まで中継されている。なお、第１〜第３の基地局２０ａ〜２０ｃを区別しないときは単に「基地局２０」と称する。そして、第１〜第３の基地局２０ａ〜２０ｃはそれぞれ通信モデム３２を備え、同様に本社４０は通信モデム４４を備え、第１〜第３の基地局２０ａ〜２０ｃと本社４０とは、通信モデム３２，４４を介して相互に通信を行う。これによって、本社４０は第１〜第３の基地局２０ａ〜２０ｃを遠隔操作したり、また第１〜第３の基地局２０ａ〜２０ｃは監視情報を本社４０に送信したりする。
【００１０】
図２は、基地局２０の概略構成を示す機能ブロック図である。基地局２０は、受信アンテナ２２と、受信部２４と、送信部２６と、送信アンテナ２８と、基地局制御部３０と、通信モデム３２とを備える。受信アンテナ２２は、例えば、回転式パラボラアンテナであって、本社４０からのリモートコントロールによって向きが制御される。また、送信アンテナ２８は、固定アンテナであって、次の基地局２０や本社４０などの送信先に向けて設定されている。
【００１１】
受信部２４は、受信アンテナ２２で受信した移動中継車１５からの信号にＢＰＦ（バンドパスフィルタ）処理を施し、ＢＰＦ処理で抽出された信号を、所定の周波数のＩＦ（Intermediate Frequency）帯の信号に変換を行い、送信部２６に送る。送信部２６は、その信号を所定の周波数帯域のＲＦ信号へ変換し、所定の電力となるように増幅し、送信アンテナ２８から信号を再送出する。
【００１２】
さらに、基地局制御部３０は、いわゆるリモコン子局であり本社４０のインタフェイスとして機能し、移動中継車１５と第１の基地局２０ａの間の信号受信状態や、第１の基地局２０ａと第２の基地局２０ｂとの間の信号受信状態や、第２の基地局２０ｂと第３の基地局２０ｃとの信号受信状態や、さらに、第３の基地局２０ｃと本社４０との間の信号受信状態が最適となるように、第１〜第３の基地局２０ａ〜２０ｃを制御するとともに制御の結果の情報を監視情報として、通信モデム３２を介して本社４０に送信する。定期的なタイミングや、アラームが発生したとき、また本社４０のオペレータからの指示により、上記の信号受信状態や制御の結果等が監視情報に含まれる項目として取得される。そして、本社４０に送信した監視情報は、所定期間または本社４０等からの指示があるまで保存される。
【００１３】
図３は、本社４０の概略構成を示す機能ブロック図である。本社４０は、本社制御部５０と、受信アンテナ４１と、受信部４２と、表示部４３と、通信モデム４４と、操作取得部４５とを備える。表示部４３は、液晶ディスプレイなどの表示装置である。
【００１４】
受信部４２は、受信アンテナ４１で受信された信号に対して、ＢＰＦ処理、ＩＦ変換処理などを施し、受信した伝送波の受信レベル、適正レベルに調整し、変調されているデジタルデータを変調方式に応じて復調し、さらに復調したデータを復号処理して、映像及び音声データを抽出する。
【００１５】
操作取得部４５は、基地局２０の方調操作や監視制御のために、オペレータからの操作を受け付けるインタフェイスであり、例えば、キーボード等のボタンや、表示部４３に取り付けられたタッチパネルや、マウスや、トラックボール等である。
【００１６】
図４は、本社制御部５０の概略構成を示す機能ブロック図である。本社制御部５０は、基地局２０をリモートコントロールするためのリモコン親局として機能する。本社制御部５０は、受信制御部５１と、監視制御部５２と、ログファイル保持部５３と、監視状態再現部５４とを備えている。なお、本社制御部５０や操作取得部４５や表示部４３や通信モデム４４は、専用の装置として構成されても良いし、全てが又は一部がパーソナルコンピュータ及びその内部で実行されるプログラムにより構成されてもよい。
【００１７】
受信制御部５１は、通信モデム４４を介したリモートコントロールによって基地局２０の受信アンテナ２２を所望の方向に制御したり、基地局２０の受信部２４や送信部２６における処理を制御したりする。
【００１８】
監視制御部５２は、設定されている所定のタイミングで、またオペレータの指示で基地局２０から監視情報を取得する。そして、取得した監視情報は、ログファイル保持部５３に記録される。図５は、システム全体の監視情報をまとめた監視ログファイルの内容を示すテーブルである。図示のように、記録される監視情報は、「日付」「時刻」「基地局」「項目の種別」「監視データ」が含まれている。またここで「監視データ」とは、機器がどのような制御状態にあるか、機器が正常であるか、それともアラームが発生しているか、また、アラームが発生している場合には、どの基地局２０の機器が異常になっているか、さらには、異常状態から正常状態に復帰した旨などが１４桁の数字で表されている。「項目の種別」とは、監視データが対象とする機器の階層を「大」「中」「小」の３段階で示している。
【００１９】
なお、テーブルの左側の記号欄は、理解が容易となるように便宜的に付加して示しており、「＊」マークは、異常がないときの通常の監視データである旨を示している。また「Ａ」は、第１の基地局２０ａにアラームが発生したデータである旨を示しており、（ａ）はそのアラームが復旧したデータである旨を示している。また「Ｂ」は、第２の基地局２０ｂにアラームが発生したデータである旨を示しており、（ｂ）はそのアラームが復旧したデータである旨を示している。さらに、また「Ｃ」は、第３の基地局２０ｃにアラームが発生したデータである旨を示しておいる。
【００２０】
また、図６は、図５に示した監視ログファイルのうち、アラーム発生及び復旧に関する情報が含まれている監視情報を抽出して示したテーブルである。この図では、図５の監視データをもとに、具体的なアラームメッセージが記載されている。例えば、一番上の欄では、日付「２００８／０３／２４」、時刻「２０：１１：００」に「第１の基地局」、「（ａａａ）機器」でアラームが発生している旨が記載されている。したがって、オペレータは、操作取得部４５を操作して、表示部４３に図６に示した内容を表示させることができる。
【００２１】
図４の説明に戻る。監視状態再現部５４は、オペレータからの指示を受けて、指示の日時の放送システム１０全体の制御状態を解析する。また、図７は、任意の日時を指定するために表示部４３に表示される操作バー９０である。オペレータの操作取得部４５に対する操作により、監視制御部５２は表示部４３に図７の操作バー９０を表示させる。オペレータは、その操作バー９０を用いて、所望の日時を指定する。図示のように、操作バー９０は、左右に移動するインデックスアイコン９１と、左端部に設けられた左方向操作ボタン９２と、右端部に設けられた右方向操作ボタン９３と、範囲縮小ボタン９８（図中で「−」で表記）と、範囲拡大ボタン９９（図中で「＋」で表記）とを含んでいる。左方向操作ボタン９２の上側の領域９４には、抽出可能な最も古い日時（開始日時）が表示される。同様に、右方向操作ボタン９３の上側の領域９５には、抽出可能な最も新しい日時（終了日時）が表示される。さらに、インデックスアイコン９１の上側の領域９６には、インデックスアイコン９１の位置に対応した指定の日時が表示される。そして、オペレータは、左方向操作ボタン９２又は右方向操作ボタン９３を操作して、インデックスアイコン９１を動かし、所望の日時を指定する。所望の日時が指定されたら、オペレータが決定ボタン８０を押下すると、次に説明する状態再現処理が行われる。また、図６に示した、アラームの発生日時とリンクさせることにより操作を簡略化させるなどしても良い。例えば、インデックスアイコン９１が移動する範囲には、アラームが発生した日時と、復旧した日時とが通常の監視状態とが明確に区別可能に、例えば、異なる色で表示させたり、インデックスアイコン９１で指定できる位置をアラーム発生の日時に対応する位置のみとするなどしてもよい。
【００２２】
日時の指定が完了すると、監視状態再現部５４は、ログファイル保持部５３から指定の日時の監視情報を抽出し、通常の監視表示と同様に、表示部４３に各機器の状態を表示させ指定の日時の放送システム１０の状態を再現する状態再現処理を実行し、その状態の監視内容を解析する処理を行う。
【００２３】
以上の構成による監視内容を解析する処理について説明する。図８は、本実施形態の放送システム１０におけるアラーム監視方法を示したフローチャートである。
【００２４】
本社４０と基地局２０との間の通信が開始すると、まず、監視制御部５２は、上述した状態再現処理を実行中であるか否かを判断する（Ｓ１０）。つまり、過去の通信状態が再現中であるか否かを判断する。状態再現処理中でない場合（Ｓ１０のＮ）、通常の通信処理として基地局２０からの監視情報の受信処理を行う（Ｓ１２）。そして、監視制御部５２は、受信した監視情報をもとに監視データロギング処理として、受信した監視情報をログファイル保持部５３に記録し（Ｓ１４）、その監視情報に含まれる監視内容の解析処理を実行する（Ｓ１６）。
【００２５】
また、Ｓ１０の処理において、状態再現処理中である場合（Ｓ１０のＹ）、監視状態再現部５４は状態再現の指定日時があるか否かを判断する（Ｓ１８）。状態再現の指定日時がある場合（Ｓ１８のＹ）、監視状態再現部５４はログファイル保持部５３に記録されている監視情報から、指定日時の監視情報を抽出して（Ｓ２０）、その監視情報に含まれる監視内容の解析処理を実行する（Ｓ１６）。また、状態再現の指定日時がない場合（Ｓ１８のＮ）、監視状態再現部５４は、既に抽出済みの監視情報に関して監視内容の解析処理を行う（Ｓ１６）。Ｓ１６の解析処理が終了すると、本フローによる処理が終了する。
【００２６】
このフローチャートの様に、Ｓ１０、Ｓ１８、Ｓ２０で示した処理を既存の通信処理（Ｓ１２、Ｓ１４、Ｓ１６）に追加することで、通常使用する端末で指定した日時の状況を容易に再現できる。そして、遠隔監視制御中であっても、全システムの監視ログを用いて過去の状態に戻すことができるので、アラーム発生時の放送システム１０全体の状態を誰でも容易に把握することが可能となる。その結果、アラーム発生要因を推測することが可能となる。
【００２７】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。なお、本実施形態のアラーム監視の技術は、特にデジタルＦＰＵ受信基地局に含まれる機器を制御対象とするときに効果的であるが、当然に、アナログＦＰＵ受信基地局に含まれる機器を制御対象としてもよい。
【００２８】
以上、本実施の形態を概略をまとめると以下の通りである。
本実施形態の監視装置は、受信基地局（２０）の被制御機器を遠隔操作により制御するシステムにおける監視装置である。この監視装置は、本社４０の本社制御部５０、操作取得部４５、通信モデム４４、表示部４３により実現される。この監視装置は、前記受信基地局（２０）の被制御機器の動作状態を監視情報として取得する監視情報取得手段（５２）と、前記監視情報を保持する監視ファイル保持手段（５３）と、前記監視ファイル保持手段に保持された前記監視情報をもとに、前記受信基地局（２０）の被制御機器の過去の制御状態を再現し、前記制御状態を解析する状態再現手段（５４）と、を備える。
また、前記過去の制御状態を再現するときに、再現する制御状態の日時をユーザから指定可能に所定の表示手段（４３）に表示させて取得する監視制御手段（５２）を備える。
また、前記監視制御手段（５２）は、前記監視情報のうち、アラーム情報が含まれる情報を抽出し、抽出した情報がユーザから再現すべき監視情報として選択可能に表示する。
【図面の簡単な説明】
【００２９】
【図１】実施形態に係る、放送システムの概略構成を示す図である。
【図２】実施形態に係る、放送システムに含まれる基地局の概略構成を示す機能ブロック図である。
【図３】実施形態に係る、放送システムに含まれる本社の概略構成を示す機能ブロック図である。
【図４】実施形態に係る、本社の本社制御部の概略構成を示す機能ブロック図である。
【図５】実施形態に係る、放送システムのシステム全体の監視情報をまとめた監視ログファイルの内容を示すテーブルである。
【図６】実施形態に係る、図５に示した監視ログファイルのうち、アラーム発生及び復旧に関する情報が含まれている監視情報を抽出して示したテーブルである。
【図７】実施形態に係る、本社において任意の日時を指定するために表示部に表示される操作バーである。
【図８】実施形態に係る、放送システムにおけるアラーム監視方法を示したフローチャートである。
【符号の説明】
【００３０】
１０  放送システム
２０、２０ａ、２０ｂ、２０ｃ  基地局
２４、４２  受信部
２６  送信部
３０  基地局制御部
３２、４４  通信モデム
４０  本社
４３  表示部
４５  操作取得部
５０  本社制御部
５１  受信制御部
５２  監視制御部
５３  ログファイル保持部
５４  監視状態再現部
９０  操作バー
【図１】
2010087948.tif 000003
【図２】
2010087948.tif 000004
【図３】
2010087948.tif 000005
【図４】
2010087948.tif 000006
【図５】
2010087948.tif 000007
【図６】
2010087948.tif 000008
【図７】
2010087948.tif 000009
【図８】
2010087948.tif 000010